(57)【要約】本発明は元の位置、特に倉庫棚梁（３）を乗せるための倉庫棚直立材の元の位置から曲げられた直立材の輪郭（２）を修理するための装置（６）および方法に関するものであって、開放側から接近可能なインナースペース（１３）が輪郭内に画定されている。この装置は直立材輪郭の外面形状に適合されている外型（７）、内面の形に適合されている内型（１６、１７）を包含しており、使用中には内型は輪郭のインナースペース内に開放側を介して配置され、外型を直立材輪郭の外側に対してかつ内型を輪郭の内側に対して加圧力により加圧するための加圧手段により直立材はその元の位置へ曲げ戻される。
2008538595.tif 000002
【特許請求の範囲】
【請求項１】
元の位置、特に倉庫棚梁を乗せるための倉庫棚直立材の元の位置から曲げられた直立材の輪郭を修理するための装置であって、開放側から接近可能なインナースペースが輪郭内に画定されているものにおいて：
−直立材輪郭の外面形状に適合されている外型、ここで外型は使用時に輪郭を部分的に包む；
−内面の形に適合されている内型、ここで使用中には内型は輪郭のインナースペース内に開放側を介して配置される；
−外型を直立材輪郭の外側に対してかつインナージブ腕を輪郭の内側に対して加圧力により加圧するための加圧手段、それにより直立材はその元の位置へ曲げ戻される加圧手段を包含し；
ここで内型は第１型部分および第２型部分を包含しており、第１および第２型部分の夫々は外形を備え、その外形は輪郭のインナースペースの対応部分に適合され、かつ加圧手段は第１および第２型部分を型部分の相対的な移動により輪郭に対して加圧するように適合されている、装置。
【請求項２】
その中に加圧手段が配置され得る中間スペースが型部分が輪郭内に配置された時に型部分間に備えられ、そこで加圧手段が型部分を輪郭に対して前および横方向に加圧するように構成されている、請求項１に記載の装置。
【請求項３】
使用中に型部分間に伸長中間スペースが形成され、かつ加圧手段が中間スペース内に配置されるべく楔形加圧部材を包含してそれにより第１および第２型部分が輪郭に対して加圧され得るように構成されている、請求項１または２に記載の装置。
【請求項４】
加圧手段が：
−外型に装着され得るヨーク；
−ヨーク上に配置されかつ内型の型部分上に定置されている加圧ユニット；
を包含している、請求項１、２または３に記載の装置。
【請求項５】
加圧ユニットが液圧または空気圧シリンダーである、請求項４に記載の装置。
【請求項６】
加圧ユニットが手動操作される圧力シリンダーである、請求項５に記載の装置。
【請求項７】
加圧ユニットが電気的に駆動される液圧または空気圧シリンダーである、請求項４または５に記載の装置。
【請求項８】
加圧ユニットが機械的または電気的な加圧機構である、請求項１−７の何れかに記載の装置。
【請求項９】
型部分の夫々が面取りされた位置決めエッジを備えている、前記請求項の何れかに記載の装置。
【請求項１０】
内型と元の状態の輪郭との間の間隙と実質的に対応する厚さのプレート状充填部材を包含している、前記請求項の何れかに記載の装置。
【請求項１１】
外型の幅が調整可能形式とされている、前記請求項の何れかに記載の装置。
【請求項１２】
元の位置、特に倉庫棚梁を乗せるための倉庫棚直立材の元の位置から曲げられた直立材の輪郭を修理するための方法であって、開放側から接近可能なインナースペースが輪郭内に画定されているものにおいて：
−曲げられた直立材輪郭の周りに輪郭の外面の形に適合しかつ部分的に輪郭を包含する外型を配置し；
−輪郭の内面の形に適合する内型を輪郭の内側に開放側を通して配置し；
−外型を輪郭の外側へ加圧しかつ内型を輪郭の内側に対し加圧して直立材の輪郭を元の位置へ戻し、ここで内型の配置は：
−内型の第１型部分を輪郭のインナースペースの部分内に配置し；かつ
−内型の第２型部分を輪郭のインナースペースの他の部分内に配置し；
かつここで輪郭に対する内型および外型の加圧は：
−型部分をそれらの型部分が輪郭の内側に対して定置されるまで相互に離し；
−外型を輪郭の外側へ加圧しかつ内型の型部分を輪郭の内側へ加圧する工程を包含している、方法。
【請求項１３】
型部分を輪郭に対して横および前進方向の双方に加圧する工程を包含している、請求項１２に記載の方法。
【請求項１４】
第１および第２型部分の間の中間スペース内に楔形加圧部材を配置し；
−楔形加圧部材を更に中間スペース内に加圧し横方向および前方向の圧力を起こして型部分が輪郭に対して加圧されるようにした、請求項１１または１２に記載の方法。
【請求項１５】
−外型周りにヨークを配置し；
−ヨーク上に加圧ユニットを設け；
−加圧力を楔形部材上に加圧ユニットで加え外型および内型を輪郭に対して加圧する工程を包含している、請求項１２−１４の何れかに記載の方法。
【請求項１６】
輪郭を元に曲げ戻した後、内型と輪郭との間の中間スペース内にプレート状充填部材を配置し、輪郭の外側に対して外型を加圧し、かつ内型を輪郭の内側に対して加圧し更に輪郭を曲げ戻す工程を包含している、請求項１２−１５の何れかに記載の方法。
【請求項１７】
使用中に倉庫の１つまたはそれより多い直立材を曲げ戻す工程を包含している、請求項１２−１６の何れかに記載の方法。
【請求項１８】
曲げられた直立材輪郭を請求項１−１１の何れかに記載の装置で修理するための方法。
【発明の詳細な説明】
【技術分野】
【０００１】
本発明は元の位置、特に倉庫棚梁を乗せるための倉庫棚直立材の元の位置から曲げられた直立材の輪郭を修理するための装置および方法に関するものであって、開放側から接近可能なインナースペースが輪郭内に画定されている。この装置は直立材輪郭の外面形状に適合されている外型（７）、内面の形に適合されている内型（１６、１７）を包含しており、使用中には内型は輪郭のインナースペース内に開放側を介して配置され、外型を直立材輪郭の外側に対してかつ内型を輪郭の内側に対して加圧力により加圧するための加圧手段により直立材はその元の位置へ曲げ戻される。
【背景技術】
【０００２】
電子部品、家庭用品、家具および同種のもののようなばら物の貯蔵のためには、貯蔵倉庫が知られており、その中では貯蔵のための物資は棚内に一時的に貯蔵される。そのような貯蔵領域は通常列状に配置された多数の棚で構成されている。各貯蔵棚は多数の直立輪郭材で構成されており、それに対して多数の棚輪郭材が固着されている。更に突っ張り用支柱が多数箇所において直立輪郭材（以降直立材と称する）上に配置されており、これらは棚の安定性を確保するためである。
【０００３】
棚内に物資を配置しまたはそこから物資を取り除くために多くの場合に使用されているのは例えばフォークリフトトラックまたは他の搬送手段のような可搬機械式補助装置である。これらは多くの物資を、数および重量に拘わらず、１人で棚内へ配置しまたは棚から取り出すことを可能にする。
【０００４】
そのような可搬機械式補助装置が適用される時に起こる問題は、これらの装置が直立材を損傷させ得ることである。フォークリフトトラックが使用される時には、例えばフォークリフトトラックが直立材と衝突することにより直立材の低部をへこまし得る。直立材の構造的強度はこれにより低減され、これは棚を潰し得る。
【０００５】
この欠点を除くために損傷した直立材を新しい直立材と取り替えることが知られていると考えられる。棚はこのために部分的に空にされかつ分解されなければならず、その後に直立材は新しい直立材と取り替えられる。直立材が取り替えられた後に、棚は再び組み立てられかつ充填されなければならない。これは非常に時間を消費する手続でありかつ高いコストを要することは明らかである。更にブームトラックのような追加の装置が棚を空にしかつそれから再び満たすためにしばしば必要となる。
【０００６】
既にカナダ文献ＣＡ  ２  １０８７４６  Ａ１から知られているものは、クランプ用工具であって、それを用いてスライドドアーまたは窓の曲げられたレールが再び曲げ戻され得る。その文献から知られることは、レール外面の形に適合される雌部分であり、その中で雌部分が使用中にレールの輪郭を部分的に包む。レールの内面形状に適合する雄部分も知られている。雄および雌部分は更にレールを曲げ戻す目的のためにクランプ用工具上に配置される。既存のクランプ用工具は、しかしながら直立材輪郭、特に棚直立材を曲げ戻すには適しておらず、その理由はクランプ用工具を使用しても僅かな加圧力しか発生しないからである。既存のクランプ用工具では更に一度に輪郭の１コーナー部分のみの処置が可能であり、これは例え２つまたはそれより多いコーナー部分を使用しても輪郭を充分に曲げ戻すことは実際上不可能である。
【発明の開示】
【発明が解決しようとする課題】
【０００７】
本発明はその目的として従来技術に関連した欠点を除きかつ損傷を受けた直立材を棚を空にすることなく速やかにかつ効率的な方法で修理することを可能にする。
【課題を解決するための手段】
【０００８】
本発明の第１の態様によると、元の位置から曲げられた上述タイプの直立材を修理するための装置が提供され、その装置は：
−直立材輪郭の外面形状に適合されている外型、ここで外型は使用時に輪郭を部分的に包む；
−内面の形に適合されている内型、ここで使用中には内型は輪郭のインナースペース内に開放側を介して配置される；
−外型を直立材輪郭の外側に対してかつインナージブ腕を輪郭の内側に対して加圧力により加圧するための加圧手段、それにより直立材はその元の位置へ曲げ戻され、ここで内型は第１型部分および第２型部分を包含しており、第１および第２型部分の夫々は外形を備え、その外形は輪郭のインナースペースの対応部分に適合され、かつ加圧手段は第１および第２型部分を型部分の相対的な移動により輪郭に対して加圧するように適合されている、ものを包含している。
【０００９】
この装置を使用して損傷された直立材を実質的にその元の形に曲げ戻すことにより、構造体の構造上の強度は復旧され、または少なくとも顕著に改良され、直立材上への荷重を物資を空にすることにより減したりかつ棚を分解したりする必要をなくしている。輪郭の２つまたはそれより多いコーナー部分も同時に曲げ戻され得る。
【００１０】
本発明の第１の好ましい実施例によると、その中に加圧手段が配置され得る中間スペースが型部分が輪郭内に配置された時に型部分間に備えられ、そこで加圧手段が型部分を輪郭に対して前および横方向に加圧するように構成されている。
【００１１】
更なる好ましい実施例によると、装置は：
−外型に結合され得るヨーク；
−ヨーク上に配置されかつ内型の型部分上に定置されている加圧ユニット；
を包含している。このヨークは外型に対して、例えば外型に対してねじ止めすることにより固定されるが、外型の外側周りにも配置され得る。加圧ユニットは電気的または機械的加圧ユニットまたは、好ましくは、液圧または空気圧シリンダーを包含し得る。
【００１２】
限定された実施例においては、加圧ユニットは手動操作される圧力シリンダーであり、従って加圧ユニットは外または内側動力源と独立に機能する。
【００１３】
更なる好ましい実施例においては各型部分は面取りエッジを備え、従って加圧部材は内型部分間に容易に配置され得る。
【００１４】
更なる好ましい実施例によると、外型の幅は調整可能形態とされる。実際には直立材はしばしば理想的な基礎輪郭を備えている。これは異なる目的のために意図された断面形状および／または異なる構造的荷重のための好適形状は多くの場合同じであることを意味していると理解される。しかしながら断面寸法はここでは変わり得る。この実施例においては外型が取り扱うための特定断面寸法の輪郭に対して調整可能となるように具体化される。これは本発明のこの実施例が多数の異なる直立材輪郭に普遍的に適合可能としている。
【００１５】
本発明の更なる好ましい実施例によると、装置が内型と元の状態の直立材輪郭の間の間隙に事実上対応する厚さのプレート状充填部材を包含している。そのような充填部材で損傷された直立材はその元の形に優れた精度で戻され得る。
【００１６】
本発明の別の形態によると、目的は元の位置、特に倉庫棚梁を乗せるための倉庫棚直立材の元の位置から曲げられた直立材の輪郭を修理するための方法であって、開放側から接近可能なインナースペースが輪郭内に画定されているものにおいて達成され、その方法が：
−曲げられた直立材輪郭の周りに輪郭の外面の形に適合しかつ部分的に輪郭を包含する外型を配置し；
−輪郭の内面の形に適合する内型を輪郭の内側に開放側を通して配置し；
−外型を輪郭の外側へ加圧しかつ内型を輪郭の内側に対し加圧して直立材の輪郭を元の位置へ戻し、ここで内型の配置は：
−内型の第１型部分を輪郭のインナースペースの部分内に配置し；かつ
−内型の第２型部分を輪郭のインナースペースの他の部分内に配置し；
かつここで輪郭に対する内型および外型の加圧は：
−型部分をそれらの型部分が輪郭の内側に対して定置されるまで相互に離し；
−外型を輪郭の外側へ加圧しかつ内型の型部分を輪郭の内側へ加圧する工程を包含している。
【００１７】
方法が好ましくは： 
−内型の第１型部分を輪郭のインナースペースの部分内に配置し；
−内型の第２型部分を輪郭のインナースペースの他の部分内に配置し；
−第１および第２型部分の間の中間スペース内に楔形加圧部材を配置し；
−楔形加圧部材を更に中間スペース内に加圧し横圧力を起こして型部分が輪郭に対して加圧されるようにしている。
【００１８】
方法が好ましくはまた：
−外型周りにヨークを配置し；
−ヨーク上に加圧ユニットを設け；
−加圧力を楔形部材上に加圧ユニットで加え外型および内型を輪郭に対して加圧する工程を包含している。
【００１９】
直立材をより正確に曲げ戻しかつ／または内型部材をより容易に直立材のインナースペース内に配置するために、特に直立材がより大きく変形している時に、方法は好ましくは、輪郭を上述のように元に曲げ戻した後、内型と輪郭との間の中間スペース内にプレート状充填部材を配置し、輪郭の外側に対して外型を加圧し、かつ内型を輪郭の内側に対して加圧し更に輪郭を曲げ戻す工程を包含している。
【００２０】
上述したように、直立材の曲げ戻しは例えば使用中の棚の直立材、即ち負荷状態の直立材に対して本発明により適用され得る。これは棚が空にされなければならないことが無いことを意味しており、これはコストおよび作業時間の大幅な節約をもたらす。明らかなことは、例えば直立材に対する損傷が極めて厳しい場合にも、前述の方法による直立材の修理を始める前に棚を空にする必要がないことである。
【発明を実施するための最良の形態】
【００２１】
図１は倉庫Ｍを示しており、その中に棚が列状に配置されている。各棚は幾つかの直立要素または直立材２から成りそれらの間には梁３が例えばフックまたはねじを使用するような公知の方法で装着されている。図３はそのような直立材の断面を示している。直立材内には幾つかのコーナー部分が備えられているので直立材は所望の構造的特性を保持している。そのような直立材の一例においては幅が１００ｍｍ、深さが６６ｍｍ、（スチール）プレートの厚さは２．２ｍｍである。直立材２と梁３の間には更にスタビライザーアーム（図示されていない）が備えられ、これにより棚の安定性が増加され得る。梁３の間にはプレート４が配置されていてその上に貯蔵のための物資が積層され得る。棚の図示の実施例においてはそれぞれ物資を貯蔵するために３個の異なる高さの３段が備えられている。段の数を所望により変え得ることは明らかである。
【００２２】
棚内に物資を配置しまたは棚から移動させるために、図示の実施例においては移動式のフォークリフトトラックＶが使用されている。フォークリフトトラックＶは公知のようにその上に物資を載せることのできる高さ可変フォーク１を備えている。フォークリフトトラックを使用して職人は物資を棚内の所望高さへ配置し、または物資をそこから移動させ得る。
【００２３】
１人の職人（示されていない）が例えば注文を処理している時、彼／彼女は倉庫棚内の異なる位置から異なる物資を集めなければならない。そこでフォークリフトトラックＶが偶然に棚に衝突することがある。この結果としては棚、およびより厳密に言えば直立材の低部が損傷を受け得る。図１はフォークリフトトラックＶがあまりのも急に（矢印Ｐ１）曲がったために、それにより直立材２’と接触することになったことを示している。数えきれない他の状況が想定され、その際棚の垂直材が損傷され得ることは明らかである。これらの全ての場合に垂直材は曲げられ、その結果として垂直材の強度は甚だしく低減する。確かに重量物資が棚内に配置されている時には、棚の安定性が著しく低減することを意味している。
【００２４】
例えばテストはそのような損傷の結果として直立材の破壊負荷、即ち直立材が潰れる負荷は損傷を受けていない直立材のそれよりも４０％またはそれよりも少ない値となることを示している。
【００２５】
本発明によると損傷を受けた直立材２’は棚を空にしたり分解することなく修理され得る。この目的のためには本発明の好ましい第１の実施例による装置６の外型７は図２および４ａに示されているように直立材２’の後側周りに配置される。外型２は部分９付きの本体８を備えており、これらの部分９は一側に突出している。本体および突出部分の内面の形および寸法は直立材の後側部１１（図３）および側部１２（少なくとも形および寸法はそれらの当初のものと同じである）と適合され、即ち、輪郭の当該コーナー部分の形および寸法は、例えば図４ａ内に示されている通りである。図２内において外型の長さｌおよび幅は大体同じであるが、大抵の場合においては長さｌは実際問題として幅よりも遙かに大きい。標準的な輪郭では外型の幅が１０ｃｍであると最低の長さｌは０．５ｍ、好ましくは１．０ｍまたはそれより大きい。
【００２６】
ひとたび外型７が後側部１１および損傷を受けていない側壁と損傷を受けている側壁１２、１２’周りに配置されると、ヨーク１５が外型７の突出部分９の先端面上に装着される。図示された実施例においてヨーク１５はねじ１１を使用して外型７上に螺着される。しかしながら代わりの多数の固定選択肢を構想することが可能である。ヨーク１５は例えば外型７周りに配置されて外型自体が直立材の外側部に対して加圧されるようにされ得る。
【００２７】
ヨーク１５は液圧シリンダー１２を備えており、その中でピストン１４が動き得る。電気的または機械的加圧ユニットのような他の駆動ユニットも、液圧シリンダー１２の代わりにまたはそれに追加して適用され得る。液圧シリンダー１２は操作用要素２７を使用して起動されピストン１４はその先端に備えられた楔形加圧要素２８をＰ２の方向（例えば図２参照）へ移動させる。
【００２８】
変形のタイプおよびその程度により、加圧要素２８は直立材２’のインナースペース内へ適宜導入される。直立材２’が例えば大幅に変形されている時は、加圧要素２８は直立材をまず当初状態へ戻すように内側へ圧入される。ひとたび直立材がこのようにして充分に曲げ戻されかつ例えば図３内に示されている状況とされ、そこでは直立材２’の左側部１２’のみが依然として曲げられており、２つの伸長内型１６、１７が図４ｂ内に示されているように直立材２’のインナースペース１３内に配置される。内型の長さは外型７の長さと概ね対応している。内型１６、１７の外面の形および寸法は直立材２’の内面の対応部分の形および寸法に対応するように構成されている。
【００２９】
加圧要素２８が楔形である結果として、上述の内型１６および１７は側部に対して実質的に斜め方向に加圧される（方向Ｐ３およびＰ４）。これらの図面内に示されている状況において、これは左側内型１６が直立材２’の曲げられた部分１２’を外型７の対応する突出部分９の方向へ曲げ、直立材２が図４ｄ内に示されているように外型および内型の特殊な形の結果として直立材が当初の形へ復帰するまで適宜戻されることを意味している。直立材２’がこのようにして（実際的に）その当初形状を取り戻した時、内型１６および１７および他の型７は取り除かれ、その状態においては（図５内に示されているように）直立材は当初の構造的強度の大部分を取り戻している。
【００３０】
最近のテスト（フェデレーション  ユーロピアン  デ  ラ  マヌユテンション（ＦＥＭ−Federation Europeenne de la manutention）１０．２．０２標準、“静置スチールパレット棚の設計”、１．０２版、２００１年４月）は、直立材に対する損傷の程度により、上述方法による曲げ戻しの後に、構造的強度は当初強度よりも僅かに（大抵の場合数％だけ）低い値を保持した。或る状況では曲げ戻された直立材の構造的強度が当初強度より高い場合もあることが見出された。
【００３１】
図４ｂ−４ｄ内に示されている実施例においては内型１６および１７は加圧要素２８に直接向かう真っ直ぐな面をそれらの側部に備えているが、図６内に示されている内型３３および３４の実施例においては側面３２は僅かな角度で延びている。側面３２はここでは加圧要素２８の楔形により適合していて、直立材２’に対する内型３３、３４のより良い加圧が事実上可能となっている。
【００３２】
直立材２’が曲げられた時にインナースペース１３内に内型３３、３４を配置するための充分なスペースを提供するために、これらの型はインナースペース１３内の関連部分よりもやや小さい形とされている。これは、内型３３、３４が上述の方法で楔形加圧要素２８を使って外側で配置された時、内型３３、３４の側部３０と直立材の部分２９の間に小間隙または中間スペース２５ができることを意味している。ひとたび図４ｄで示された状況が実現されかつ加圧要素２８が引っ込められると、この中間スペース２５は図６内に示されているように好ましくはプレート２６で部分的に満たされる。このプレート２６は実質的に中間スペース２５の厚さに対応する厚さを備えている。ひとたびプレート２６が配置されると、内型３３、３４および直立材２’の間にもはや間隙は事実上なくなる。加圧要素２８が、好ましくは加圧要素が１８０度回された後に高圧でプレート２６に加圧されると、その比較的広い部分がプレート２６に対して当たり、曲げられた直立材２’の更なる曲げ戻しが起こり、従って直立材はその当初の形により正確に戻されかつそれにより当初強度より大きい力が得られる。
【００３３】
図７は内型３５、３６が更に面取り面３１を備えている実施例を示している。面取り面は“位置決めエッジ”として機能し、それと共に加圧要素が内型の間のスペース内により容易に案内され、かつより取扱い容易な装置６が得られ得る。
【００３４】
本発明はここに図示された好ましい実施例に限定されるものではない。求められる権利はむしろ以下の請求項により限定され、その範囲内で多くの変形が想定され得る。本発明の記述された好ましい実施例においては内型が輪郭の内側に対して加圧され、外型も輪郭の外側に対して加圧されるが、本発明の他の好ましい実施例においては加圧手段が外型を輪郭の外側部に加圧するように構成し、内型も輪郭の内側部に対して加圧される結果をもたらしている。
【図面の簡単な説明】
【００３５】
本発明の更なる利点、特徴および詳細が各種好ましい実施例の以下の記述に基づいて説明されるであろう。参照は図面に対する記述内に行われている。
【図１】損傷した直立材付きの倉庫棚の斜視図である。
【図２】本発明の好ましい第１実施例の斜視図である。
【図３】損傷した直立材輪郭の断面図である。
【図４】４ａ−４ｄは図２内に示されている好ましい実施例を通しての損傷した直立材の断面図である。
【図５】修復された直立材の断面図である。
【図６】直立材および本発明の好ましい第２実施例の断面図である。
【図７】位置決め用エッジを有する内型の断面図である。
【図１】
2008538595.tif 000003
【図２】
2008538595.tif 000004
【図３】
2008538595.tif 000005
【図４Ａ】
2008538595.tif 000006
【図４Ｂ】
2008538595.tif 000007
【図４Ｃ】
2008538595.tif 000008
【図４Ｄ】
2008538595.tif 000009
【図５】
2008538595.tif 000010
【図６】
2008538595.tif 000011
【図７】
2008538595.tif 000012
【国際調査報告】
2008538595.tif 000013
2008538595.tif 000014